(57)【要約】
【課題】  第１空間部と第２空間部とを有するテントを組み立てるに際して、組立性を考慮したテントを提供すること。
【解決手段】  十字に交差する第１ポール２・第２ポール３により支持され内部に第１空間部を形成し、この第１空間部が前部・後部・右側部・左側部を有するように組み立てられる内幕１と、この内幕１を上から覆い被し、第１空間部の前部側から更に前側に張り出すような張り出し部４ａが形成されるように組み立てられる外幕４と、この張り出し部４ａに対して更に前方に第２空間部を形成し、この第２空間部が前部・後部・右側部・左側部・天井部を有するように組み立てられる延長幕２０とを有し、張り出し部４ａと延長幕２０の後部とを連結するために、ジッパー構造８，２１を張り出し部４ａと延長幕２０の双方に形成すると共に、このジッパー構造８，２１により連結される部分が第３ポールにより支持される。
【選択図】  図５
0003100914.tif 000002
【実用新案登録請求の範囲】
【請求項１】
十字に交差する第１ポール・第２ポールにより支持され内部に第１空間部を形成し、この第１空間部が前部・後部・右側部・左側部を有するように組み立てられる内幕と、
この内幕を上から覆い被し、第１空間部の前部側から更に前側に張り出すような張り出し部が形成されるように組み立てられる外幕と、
この張り出し部に対して更に前方に第２空間部を形成し、この第２空間部が前部・後部・右側部・左側部・天井部を有するように組み立てられる延長幕とを有し、
前記張り出し部と延長幕の後部とを連結するために、ジッパー構造を張り出し部と延長幕の双方に形成すると共に、このジッパー構造により連結される部分が第３ポールにより支持されるように構成したことを特徴とするテント。
【請求項２】
延長幕の前部・左右側部は、メッシュ状の幕により形成され、延長幕の前部・右側部・左側部の境界２箇所を支持する第４ポール・第５ポールを備えていることを特徴とする請求項１に記載のテント。
【請求項３】
延長幕の前部・右側部・左側部のメッシュは、下方から巻き上げて、延長幕の天井部の周囲に保持させることができるように構成したことを特徴とする請求項２に記載のテント。
【請求項４】
前記第３ポールは、前方側に傾斜した姿勢で前記張り出し部を支持するように構成され、前記第３ポールの両端部は、前記第１ポールの一端部と第２ポールの一端部と同じ位置で地面に対して固定されることを特徴とする請求項１〜３のいずれか１項に記載のテント。
【請求項５】
前記第３ポールは、アーチ状に前記張り出し部を支持するように構成されていることを特徴とする請求項４に記載のテント。
【考案の詳細な説明】
【技術分野】
【０００１】
本考案は、容易に組み立てることができるテントに関するものである。
【背景技術】
【０００２】
夏のキャンプ等でテントを使用する機会は多い。テントを組み立てることにより寝室として機能する第１空間部を形成して、その空間部に何名かが寝ることができる。また、第１空間部だけでなく、さらに別の機能を有する第２空間部（例えば、食事をするための空間部）を付加したテントが考えられる。このようにテントにより構成される空間部が増えてくると、利用する側は便利になるが、第１空間部のみからなるテントと比較すると、組み立てには時間を要するようになる。したがって、できるだけ組み立てが便利なように構成する必要がある。
【考案の開示】
【考案が解決しようとする課題】
【０００３】
本考案は上記実情に鑑みてなされたものであり、その課題は、第１空間部と第２空間部とを有するテントを組み立てるに際して、組立性を考慮したテントを提供することである。
【課題を解決するための手段】
【０００４】
上記課題を解決するため本考案に係るテントは、
十字に交差する第１ポール・第２ポールにより支持され内部に第１空間部を形成し、この第１空間部が前部・後部・右側部・左側部を有するように組み立てられる内幕と、
この内幕を上から覆い被し、第１空間部の前部側から更に前側に張り出すような張り出し部が形成されるように組み立てられる外幕と、
この張り出し部に対して更に前方に第２空間部を形成し、この第２空間部が前部・後部・右側部・左側部・天井部を有するように組み立てられる延長幕とを有し、
前記張り出し部と延長幕の後部とを連結するために、ジッパー構造を張り出し部と延長幕の双方に形成すると共に、このジッパー構造により連結される部分が第３ポールにより支持されるように構成したことを特徴とするものである。
【０００５】
この構成によるテントの作用・効果は、以下の通りである。第１空間部を形成するためには、内幕を十字に交差する第１・第２ポールで支持する。第１空間部は、前部・後部・右側部・左側部により構成される。この内幕を上から覆うように外幕が被せられる。外幕は、単に内幕を覆うだけでなく、張り出し部を形成させる。張り出し部は、第１空間部の前部から更に前側に張り出すように形成される。この張り出し部に対して、更に前側に第２空間部を形成するために延長幕を組み立てる。延長幕により形成される第２空間部は、前部・後部・左側部・右側部・天井部とにより囲まれる。延長幕の張り出し部に対する連結は、張り出し部と延長幕の後部側の双方に設けられたジッパー構造により行われる。このジッパー構造により連結される部分は、第３ポールにより支持される。ジッパーによる連結であるから、延長幕と外幕の張り出し部とを簡単に連結することができる。また、外幕に張り出し部を設けることで、延長幕との連結を行いやすくしている。その結果、第１空間部と第２空間部とを有するテントを組み立てるに際して、組立性を考慮したテントを提供することができる。
【０００６】
本発明の好適な実施形態として、延長幕の前部・左右側部は、メッシュ状の幕により形成され、延長幕の前部・右側部・左側部の境界２箇所を支持する第４ポール・第５ポールを備えているものがあげられる。
【０００７】
延長幕に上記のようなメッシュ状の幕を形成することで、風通しを良くすることができる。したがって、第２空間部を例えば、食事を行う空間として利用する場合には、風通しが良く、また、外の風景も見える状態とすることができ、快適な空間を提供することができる。また、延長幕による第２空間部を保持するに際して、張り出し部の側には、第３ポールを設け、前方側には第４・第５ポールの２本で支持することができるので、テントの組み立て構造を簡素化することができる。
【０００８】
本発明の別の好適な実施形態として、延長幕の前部・右側部・左側部のメッシュは、下方から巻き上げて、延長幕の天井部の周囲に保持させることができるように構成したものがあげられる。
【０００９】
第２空間部を利用しないような場合には、延長幕の前部・左右側部のメッシュは、巻き上げることができ、天井部の周囲に保持させることができる。これにより、第１空間部への出入をスムーズに行うことができる。
【００１０】
本発明の更に別の好適な実施形態として、前記第３ポールは、前方側に傾斜した姿勢で前記張り出し部を支持するように構成され、前記第３ポールの両端部は、前記第１ポールの一端部と第２ポールの一端部と同じ位置で地面に対して固定されるものがあげられる。
【００１１】
第３ポールの両端部の固定を、第１ポールと第２ポールと同じ位置にすることにより、地面への固定作業を簡素化することができる。また、第３ポールは、前方側に傾斜した姿勢となっているので、ジッパーによる連結作業を行いやすくできる。
【００１２】
本発明の更に別の好適な実施形態として、前記第３ポールは、アーチ状に前記張り出し部を支持するように構成されているものがあげられる。
【００１３】
第３ポールをアーチ状に張り出し部を支持しているので、張り出し部の支持構造を強固なものにすることができる。
【考案を実施するための最良の形態】
【００１４】
本発明に係るテントの好適な実施形態を図面を用いて説明する。本実施形態に係るテントは、内幕、外幕、延長幕を有しており、まずは、個々の幕について説明する。
【００１５】
＜テントを構成する部材（幕）について＞
図１は、内幕のみを組み立てた状態を示す斜視図であり、図２は、同じく組み立てた状態の側面図であり、（ａ）は前あるいは後ろから見た状態、（ｂ）は左あるいは右の側部から見た状態を示す。内幕には、第１ポールと第２ポールを十字に交差した状態で挿入するポール挿入部２，３が設けられている。ポール挿入部２，３も十字に交差した状態に設けられている。図１，２には、図示の便宜上、ポールは示していない。内幕１を組み立てることにより、寝室としての第１空間部が形成される。第１空間部は、前部１ａ、後部１ｂ、右側部１ｃ、左側部１ｄにより構成されることになる。
【００１６】
内幕１の前部１ａと後部１ｂには、メッシュに形成された開口部１０が形成される。この開口部１０は開くことができ、中に出入りすることができる。右側部１ｃと左側部１ｄの頂部にもメッシュ部１１が形成されており、風通しをよくしている。第１・第２ポールが配置される稜線に沿って多数のフック１２が設けられており、このフック１２により各ポールを確実に保持することができる。ポールの端部を支持するための脚支持部１３が４箇所に設けられている。この脚支持部１３を用いて、ペグを地面に打ち込むことで、内幕１をしっかりと固定することができる。
【００１７】
次に、外幕４について説明する。図３は、外幕の構成を示す図であり（ａ）は外幕のみを組み立てた状態の前方から見た外観斜視図、（ｂ）は前から見た図（正面図）、（ｃ）は後方から見た斜視図である。外幕４は、内幕１の上に覆い被されるものである。外幕４には、内幕１の全部側に張り出し部４ａが設けられる。後部４ｂも少し張り出した形になっている。外幕４の右側部４ｃと左側部４ｄは、内幕１の右側部１ｃと左側部１ｄと同じような形状を有しており、それらがちょうど重ね合わせられるようにして、外幕４が内幕１の上から覆われる。また、張り出し部４ａと左右側部４ｃ，４ｄの間には、連結部４ｅがあり、張り出し部４ａを左右側部４ｃ，４ｄとをつないでいる。張り出し部４ａは、３つの面で構成されており、張り出し前部４ａ１、張り出し右部４ａ２、張り出し左部４ａ３を有している。張り出し部４ａのうち、張り出し前部４ａ１については、取り外し等により開放させることができる。取り外すことで、内幕１の中に入る際に邪魔にならないようにすることができる。また、就寝の際には再び張り出し前部４ａ１を取り付けておくことで、テント内部を外から見えないようにすることができる。張り出し前部４ａ１の取り外しであるが、例えば、ジッパーにより取り外すようにすることができる。
【００１８】
張り出し部４ａと連結部４ｅの境界はアーチ状に形成されており、前側に傾斜した状態（アーチの頂点は、アーチの根元よりも前方側に倒れている状態）に組み付けられる。このアーチに沿って第３ポールが挿入されるように構成されている。さらに、張り出し部４ａにおける前部４ａ１と、左右側部４ａ２，４ａ３との境界にも、それぞれポール６，７が挿入される。これにより、張り出し部４ａをしっかりと地面に対して保持させることができる。さらに、アーチに沿ってジッパー８が形成されている。後で説明するが、このジッパー８は、延長幕をつなぐために設けられている。アーチに沿って取り付けられる第３ポールの両端は、第１ポールの一端と第２ポールの一端と同じ個所（脚支持部１３）で固定される。これにより、第１・第２・第３ポールの設置を容易なものにしている。また、外幕４には、第３ポール以外に、天井部分の前後方向に沿ってさらに別のポールで形状保持を行うようにしている。ジッパー８は、図３（ｂ）に示すように、中央部分で別れており、第１ジッパー８ａと第２ジッパー８ｂとを有している。
【００１９】
次に、延長幕２０について図４により説明する。図４は、延長幕２０を組み立てた状態を示す外観斜視図である。この延長幕２０は、先ほど説明した張り出し部４ａのさらに前方側に接続されるものであり、第２空間部を形成する。この第２空間部は、例えば、その空間を利用してみんなで食事をしたりゲームに興じたりすることのできる空間として活用することができる。図５に示すように、延長幕２０は前部２０ａ、左右側部２０ｂ，２０ｃ、天井部２０ｄを有する。前部２０ａと左右側部２０ｂ，２０ｃは、メッシュ状に形成されており、風通しをよくしている。延長幕２０の後部側は、張り出し部４ａにつなげるために、張り出し部４ａのアーチ状（組み立てたとき）に形成されたジッパー８にかみ合うジッパー２１が形成されている。このように、外幕４と延長幕２０とは、ジッパー構造により連結することができるので、組み立てを容易にすることができ、分解もまた容易に行える。ジッパー２１もジッパー８と同様に真中で２つに分けても良い。
【００２０】
延長幕２０の前部２０ａと左右側部の境界には、第４ポール２２と第５ポール２３により支持される。このように、延長幕２０は、その前部を２本のポール２２，２３で支持し、後部は張り出し部４ａにより支持されるので、ポールの本数も最小限で済み、組み立て構造を簡素化することができる。その他、組み立てのためには、紐部材を用いたり、ペグの打ち込み等も行うが、公知の手法と同じであるので説明を省略する。
【００２１】
＜全体組み立て状態＞
次にテントの全体を組み立てた状態を説明する。図５は、前方側から見たテントの外観図である。図６は、前方から見た状態であるが、延長幕２０をたたんだ状態を示している。すなわち、 延長幕２０の前部２０ａと左右側部２０ｂ，２０ｃのメッシュ部分を下方から巻きあげて、天井部２０ｄの周囲に保持させた状態となっている。また、張り出し部４の前部４ａも取り外した状態であり、第２空間部を開放させた状態としている。このような状態でも、延長幕２０の位置で食事等を行うことができる。天井部２０ｄは残しているので、例えば、雨天の場合であっても食事を行う空間として利用することができる。
【００２２】
＜別実施形態＞
本実施形態にかかるポールの構造は、公知の構造を採用することができる。例えば、多数の中空のポール部材の中に紐を通した構造のものが一般的である。
【図面の簡単な説明】
【００２３】
【図１】内幕のみを組み立てた状態を示す斜視図
【図２】内幕のみを組み立てた状態を示す（ａ）正面図（背面図）（ｂ）右側面図（左側面図）
【図３】外幕の構成を示す図であり（ａ）は外幕のみを組み立てた状態の前方から見た外観斜視図、（ｂ）は前から見た図（正面図）、（ｃ）は後方から見た斜視図
【図４】延長幕を組み立てた状態を示す外観斜視図
【図５】テント全体の外観図
【図６】テント全体の外観図（延長幕をたたんだ状態）
【符号の説明】
【００２４】
１      内幕
４      外幕
４ａ    張り出し部
８      ジッパー
２０    延長幕
２１    ジッパー
【図１】
0003100914.tif 000003
【図２】
0003100914.tif 000004
【図３】
0003100914.tif 000005
【図４】
0003100914.tif 000006
【図５】
0003100914.tif 000007
【図６】
0003100914.tif 000008